(57)【要約】【課題】光学部の中央に近用部が配された場合、近用部において近用度数を十分に確保しつつも近用部とその外縁に設けられた遠用部とのバランスを良好に保ち、光学部の中央に遠用部が配された場合、遠用部において遠用度数を十分に確保しつつも遠用部とその外縁に設けられた近用部とのバランスを良好に保つ。【解決手段】近用度数を備えた近用部と、遠用度数を備えた遠用部とを有し、近用部または遠用部が中央に配され、中央に配されなかったものがその外縁に環状に配された光学部を備えた眼用レンズであって、光学部の中央に配された近用部または遠用部において、中央から周辺に向かうＸ方向で見た時に度数を強めた後に弱めた部分Ａを有し且つＸ方向とは正反対の方向であって中央から周辺に向かうＸ’方向で見た時にも度数を強めた後に弱めた部分Ａ’を有する眼用レンズおよびその関連技術を提供する。【選択図】図４
2018120040.tif 000002
【特許請求の範囲】
【請求項１】
近方距離を見るための近用度数を備えた近用部と、近方距離よりも遠くの距離を見るための遠用度数を備えた遠用部とを有し、前記近用部または前記遠用部が中央に配され、中央に配されなかったものがその外縁に環状に配された光学部を備えた眼用レンズであって、
前記光学部の中央に配された前記近用部または前記遠用部において、中央から周辺に向かうＸ方向で見た時に度数を強めた後に弱めた部分Ａを有し且つＸ方向とは正反対の方向であって中央から周辺に向かうＸ’方向で見た時にも度数を強めた後に弱めた部分Ａ’を有する、眼用レンズ。
【請求項２】
前記光学部においては前記近用部が中央に配され、
前記部分Ａおよび前記部分Ａ’においては前記近用度数よりも近用へと度数を強めた後に遠用度数に至るまで度数を弱めた形状を有する、請求項１に記載の眼用レンズ。
【請求項３】
前記部分Ａにおいて度数が極大となる箇所は１か所のみであり、且つ、前記部分Ａ’においても度数が極大となる箇所は１か所のみである、請求項２に記載の眼用レンズ。
【請求項４】
前記部分Ａにおいて度数が極大となる箇所と、前記部分Ａ’において度数が極大となる箇所との間の平面視距離は１．０〜２．８ｍｍである、請求項２または３に記載の眼用レンズ。
【請求項５】
前記部分Ａにおける度数の極大値と前記近用度数との差は０．０５〜０．２５Ｄであり、且つ、前記部分Ａ’における度数の極大値と前記近用度数との差も０．０５〜０．２５Ｄである、請求項２〜４のいずれかに記載の眼用レンズ。
【請求項６】
前記光学部においては前記遠用部が中央に配され、
前記部分Ａおよび前記部分Ａ’においては前記遠用度数よりも遠用へと度数を強めた後に近用度数に至るまで度数を弱めた形状を有する、請求項１に記載の眼用レンズ。
【請求項７】
前記部分Ａにおいて度数が極小となる箇所は１か所のみであり、且つ、前記部分Ａ’においても度数が極小となる箇所は１か所のみである、請求項６に記載の眼用レンズ。
【請求項８】
前記部分Ａにおいて度数が極小となる箇所と、前記部分Ａ’において度数が極小となる箇所との間の平面視距離は１．０〜２．８ｍｍである、請求項６または７に記載の眼用レンズ。
【請求項９】
前記部分Ａにおける度数の極小値と前記遠用度数との差は０．０５〜０．２５Ｄであり、且つ、前記部分Ａ’における度数の極小値と前記遠用度数との差も０．０５〜０．２５Ｄである、請求項６〜８のいずれかに記載の眼用レンズ。
【請求項１０】
前記眼用レンズはコンタクトレンズである、請求項１〜９のいずれかに記載の眼用レンズ。
【請求項１１】
前記眼用レンズは眼内レンズである、請求項１〜９のいずれかに記載の眼用レンズ。
【請求項１２】
近方距離を見るための近用度数を備えた近用部と、近方距離よりも遠くの距離を見るための遠用度数を備えた遠用部とを有し、前記近用部または前記遠用部が中央に配され、中央に配されなかったものがその外縁に環状に配された光学部を備えた眼用レンズの設計方法であって、
前記光学部の中央に配された前記近用部または前記遠用部において、中央から周辺に向かうＸ方向で見た時に度数を強めた後に弱めた部分Ａを有し且つＸ方向とは正反対の方向であって中央から周辺に向かうＸ’方向で見た時にも度数を強めた後に弱めた部分Ａ’を有するように眼用レンズを設計する、眼用レンズの設計方法。
【請求項１３】
前記光学部においては前記近用部を中央に配し、
前記部分Ａおよび前記部分Ａ’においては前記近用度数よりも近用へと度数を強めた後に遠用度数に至るまで度数を弱めるように眼用レンズを設計する、請求項１２に記載の眼用レンズの設計方法。
【請求項１４】
前記部分Ａにおいて度数が極大となる箇所は１か所のみとし、且つ、前記部分Ａ’においても度数が極大となる箇所は１か所のみとする、請求項１３に記載の眼用レンズの設計方法。
【請求項１５】
前記部分Ａにおいて度数が極大となる箇所と、前記部分Ａ’において度数が極大となる箇所との間の平面視距離を１．０〜２．８ｍｍとする、請求項１３または１４に記載の眼用レンズの設計方法。
【請求項１６】
前記部分Ａにおける度数の極大値と前記近用度数との差を０．０５〜０．２５Ｄとし、且つ、前記部分Ａ’における度数の極大値と前記近用度数との差も０．０５〜０．２５Ｄとする、請求項１３〜１５のいずれかに記載の眼用レンズの設計方法。
【請求項１７】
前記光学部においては前記遠用部を中央に配し、
前記部分Ａおよび前記部分Ａ’においては前記遠用度数よりも遠用へと度数を強めた後に近用度数に至るまで度数を弱めるように眼用レンズを設計する、請求項１２に記載の眼用レンズの設計方法。
【請求項１８】
前記部分Ａにおいて度数が極小となる箇所を１か所のみとし、且つ、前記部分Ａ’においても度数が極小となる箇所を１か所のみとする、請求項１７に記載の眼用レンズの設計方法。
【請求項１９】
前記部分Ａにおいて度数が極小となる箇所と、前記部分Ａ’において度数が極小となる箇所との間の平面視距離を１．０〜２．８ｍｍとする、請求項１７または１８に記載の眼用レンズの設計方法。
【請求項２０】
前記部分Ａにおける度数の極小値と前記遠用度数との差を０．０５〜０．２５Ｄとし、且つ、前記部分Ａ’における度数の極小値と前記遠用度数との差も０．０５〜０．２５Ｄとする、請求項１７〜１９のいずれかに記載の眼用レンズの設計方法。
【請求項２１】
前記眼用レンズはコンタクトレンズである、請求項１２〜２０のいずれかに記載の眼用レンズの設計方法。
【請求項２２】
前記眼用レンズは眼内レンズである、請求項１２〜２０のいずれかに記載の眼用レンズの設計方法。
【請求項２３】
請求項１２〜２２のいずれかに記載の眼用レンズの設計方法によって眼用レンズを設計する設計工程と、
設計された眼用レンズを加工装置により製造する加工工程と、
を有する、眼用レンズの製造方法。
【請求項２４】
近方距離を見るための近用度数を備えた近用部と、近方距離よりも遠くの距離を見るための遠用度数を備えた遠用部とを有し、前記近用部または前記遠用部が中央に配され、中央に配されなかったものがその外縁に環状に配された光学部を備えた眼用レンズを複数備える眼用レンズセットであって、
前記光学部の中央に配された前記近用部または前記遠用部において、中央から周辺に向かうＸ方向で見た時に度数を強めた後に弱めた部分Ａを有し且つＸ方向とは正反対の方向であって中央から周辺に向かうＸ’方向で見た時にも度数を強めた後に弱めた部分Ａ’を有する眼用レンズを複数備える、眼用レンズセット。
【発明の詳細な説明】
【技術分野】
【０００１】
本発明は眼用レンズ、その設計方法、その製造方法、および眼用レンズセットに関する。
【背景技術】
【０００２】
眼用レンズとしては、例えばコンタクトレンズや眼内レンズ等が知られている（本明細書においては眼用レンズとしては眼鏡レンズは除く）。例えばコンタクトレンズには、１枚のレンズで近方距離を見るための近用度数と遠方距離を見るための遠用度数を確保するマルチフォーカルコンタクトレンズ（多焦点レンズ）が存在する。この多焦点レンズの構成としては、例えばレンズの中央に近用度数を備えた近用部を配し、その外縁に対し、遠用度数を備えた遠用部を環状に配する構成が挙げられる（例えば特許文献１の［図１］［図２］）。その逆に、レンズの中央に遠用度数を備えた遠用部を配し、その外縁に対し、近用度数を備えた近用部を環状に配する構成も知られている（例えば特許文献２の［図１２］）。
【先行技術文献】
【特許文献】
【０００３】
【特許文献１】特表２００６−５０５０１１号公報
【特許文献２】ＷＯ２００６／１２９７０７号公報
【発明の概要】
【発明が解決しようとする課題】
【０００４】
本発明の課題を説明する前に、光学部について説明を加える。なお、以降においてはマルチフォーカルコンタクトレンズ（多焦点レンズ。単にレンズとも称する。）であってレンズの中央に近用度数を備えた近用部を配し、その外縁に対し、遠用度数を備えた遠用部を環状に配する多焦点レンズをあくまで一例として例示する。
【０００５】
まず、従来の多焦点レンズを平面視した概略図（レンズの前面（凸面）を上にしてレンズを水平台に載置した際に光軸方向において天地の天の方向から地の方向を見たときの上面図。平面視については以降同様。）が図１である。なお、平面視した際のレンズ上の距離のことを平面視距離と称する。符号１は近用部、符号２は遠用部、符号３は光学部、符号４は周辺部、符号５はマルチフォーカルコンタクトレンズを指す。以降、符号は省略する。
図１に示すように、レンズの光学中心Ｏを同心として中央に近用部、その外縁に環状の遠用部を配する。本例では光学中心Ｏを幾何中心と一致させる。こうして近用部および遠用部を有する光学部が構成される。そして光学部のさらに外縁に環状の周辺部を有する。周辺部はレンズを角膜上に載置した際に瞼の裏に入り込みやすいフランジ形状を有するのが通常である。つまり光学部と周辺部により本例のレンズは構成される。ただし、光学部と周辺部とは各々が上記の機能を奏するために区別されているのであって、光学部と周辺部との間に段差等のように目視で確認可能な明確な境目があるわけではない。
【０００６】
本来ならば、Ｘ−Ｘ’方向（すなわち径方向）の端Ｆから端Ｆ’まで見た時の度数をプロットしたときに、近用部（Ｎ−Ｎ’の領域）だと近用度数が確保され、遠用部（Ｆ−Ｎの領域およびＮ’−Ｆ’の領域）だと遠用度数が確保されるべきである。
【０００７】
ところが実際のレンズだと必ずしもそのような度数プロットとはならない。それを示すのが図２である。図２は、従来のマルチフォーカルコンタクトレンズの光学部をＸ−Ｘ’方向の端Ｆから端Ｆ’まで見た時の度数をプロットした図である。横軸は、レンズを平面視した際のＸ−Ｘ’における光学中心Ｏからの距離を示す。縦軸は、レンズの度数（単位：ディオプター［Ｄ］）を示し、上方に向かえば度数が増加し、下方に向かえば度数が減少する。ここで言う度数とはレンズの両面の形状（曲率）の差によりもたらされる度数のことを指す。
【０００８】
図２に示すように、実際のレンズだと、光学中心Ｏから周辺に向かう方向（Ｘ方向。以降、方向について特記ない場合はこの方向とする。）で度数変化を見たときに、はじめは緩やかに度数が減少し、その後で急激に度数が減少し、再び度数の減少が緩やかとなり、最終的には遠用度数へと至る。
【０００９】
ここで挙げたマルチフォーカルコンタクトレンズ（多焦点レンズ）という一例だと度数が変化する部分を備える必要がある。この事情を鑑みると、Ｘ方向で見たときの度数の減少の様子は図２（あるいは特許文献１の［図１］［図２］）のようにせざるを得ない。だからこそ従来のレンズにおいては、度数が変化する部分を遷移部や中間部（特許文献２の［図１２］の符号１０４）として位置付けているものもある。そうなると、図２の斜線部分（すなわち度数を減少させ始めた部分）においてどうしても近用度数を確保することができない。つまり、本来ならば近方視しなければならない部分において十分に近方視できないということが生じ得る。
【００１０】
この事態を防ぐためには、図３に示すように、Ｘ方向およびＸ’方向で見た時に図２よりも度数を減少させる位置を光学中心Ｏから遠ざけることが挙げられる。こうすればあらかじめ設定した近用部（Ｎ−Ｎ’の領域）において近用度数を確保することができる。
【００１１】
ただ、上記の手法を採用すると、図３に示すように、今度は近用部の外縁に配する遠用部が狭くなってしまう。また、結局のところ図３の斜線部分（すなわち度数を減少させ始めた部分）においてどうしても近用度数を確保することができない。
【００１２】
マルチフォーカルコンタクトレンズの光学部においては、瞳孔に対してバランスよく遠用部と近用部を配置させることは非常に重要である。そして、遠用部と近用部の広さのバランスを良好に保つことは、マルチフォーカルコンタクトレンズのみに係るものではなく、その他のコンタクトレンズ、あるいは眼内レンズを含めた眼用レンズについても重要である。
【００１３】
本発明の課題は、光学部の中央に近用部が配された場合、近用部において近用度数を十分に確保しつつも近用部とその外縁に設けられた遠用部とのバランスを良好に保ち、光学部の中央に遠用部が配された場合、遠用部において遠用度数を十分に確保しつつも遠用部とその外縁に設けられた近用部とのバランスを良好に保つことである。
【課題を解決するための手段】
【００１４】
上記の課題を解決すべく本発明者らは鋭意検討を加えた。この課題を解決するための糸口は、図２の斜線部分をなくすことであると本発明者らは考えた。図２の斜線部分が生じる理由は、Ｘ方向に見たときに度数の減少を近用部内にて既に開始しなければならないことにある。そこで本発明者らは、近用部内にて度数の減少を開始する前に度数を近用度数よりも増加させておけば、図４（ｂ）に示すように、近用部内にて度数の減少を開始したとしても近用部の端Ｎにて近用度数を確保可能とする手法を知見した。なお、本例のように中央に近用部が配される場合は近用度数を強め（より近くが見える方向すなわちプラス方向に強める。例：５．００Ｄ→５．１０Ｄ）てその後に遠用度数へと度数を減少させればよいし、逆に、中央に遠用部が配される場合は、例えば後述の図９（ｂ）に示すように、遠用度数を強め（より遠くが見える方向すなわちマイナス方向に強める。例：０．００Ｄ→−０．１０Ｄ）てその後に近用度数へと度数を増加させればよい。
以上の知見を得た結果、以降に記載された本発明の構成を採用するに至った。なお、以下に示す好適な各態様は適宜組み合わせ可能である。
【００１５】
本発明の第１の態様は、
近方距離を見るための近用度数を備えた近用部と、近方距離よりも遠くの距離を見るための遠用度数を備えた遠用部とを有し、前記近用部または前記遠用部が中央に配され、中央に配されなかったものがその外縁に環状に配された光学部を備えた眼用レンズであって、
前記光学部の中央に配された前記近用部または前記遠用部において、中央から周辺に向かうＸ方向で見た時に度数を強めた後に弱めた部分Ａを有し且つＸ方向とは正反対の方向であって中央から周辺に向かうＸ’方向で見た時にも度数を強めた後に弱めた部分Ａ’を有する、眼用レンズである。
【００１６】
本発明の第２の態様は、第１の態様に記載の発明であって、
前記光学部においては前記近用部が中央に配され、
前記部分Ａおよび前記部分Ａ’においては前記近用度数よりも近用へと度数を強めた後に遠用度数に至るまで度数を弱めた形状を有する。
【００１７】
本発明の第３の態様は、第２の態様に記載の発明であって、
前記部分Ａにおいて度数が極大となる箇所は１か所のみであり、且つ、前記部分Ａ’においても度数が極大となる箇所は１か所のみである。
【００１８】
本発明の第４の態様は、第２または第３の態様に記載の発明であって、
前記部分Ａにおいて度数が極大となる箇所と、前記部分Ａ’において度数が極大となる箇所との間の平面視距離は１．０〜２．８ｍｍである。
【００１９】
本発明の第５の態様は、第２〜第４のいずれかの態様に記載の発明であって、
前記部分Ａにおける度数の極大値と前記近用度数との差は０．０５〜０．２５Ｄであり、且つ、前記部分Ａ’における度数の極大値と前記近用度数との差も０．０５〜０．２５Ｄである。
【００２０】
本発明の第６の態様は、第１の態様に記載の発明であって、
前記光学部においては前記遠用部が中央に配され、
前記部分Ａおよび前記部分Ａ’においては前記遠用度数よりも遠用へと度数を強めた後に近用度数に至るまで度数を弱めた形状を有する。
【００２１】
本発明の第７の態様は、第６の態様に記載の発明であって、
前記部分Ａにおいて度数が極小となる箇所は１か所のみであり、且つ、前記部分Ａ’においても度数が極小となる箇所は１か所のみである。
【００２２】
本発明の第８の態様は、第６または第７の態様に記載の発明であって、
前記部分Ａにおいて度数が極小となる箇所と、前記部分Ａ’において度数が極小となる箇所との間の平面視距離は１．０〜２．８ｍｍである。
【００２３】
本発明の第９の態様は、第６〜第８のいずれかの態様に記載の発明であって、
前記部分Ａにおける度数の極小値と前記遠用度数との差は０．０５〜０．２５Ｄであり、且つ、前記部分Ａ’における度数の極小値と前記遠用度数との差も０．０５〜０．２５Ｄである。
【００２４】
本発明の第１０の態様は、第１〜第９のいずれかの態様に記載の発明であって、
前記眼用レンズはコンタクトレンズ（ソフトコンタクトレンズまたはハードコンタクトレンズ。好ましくはソフトコンタクトレンズ。）である。
【００２５】
本発明の第１１の態様は、第１〜第９のいずれかの態様に記載の発明であって、
前記眼用レンズは眼内レンズである。
【００２６】
本発明の第１２の態様は、
近方距離を見るための近用度数を備えた近用部と、近方距離よりも遠くの距離を見るための遠用度数を備えた遠用部とを有し、前記近用部または前記遠用部が中央に配され、中央に配されなかったものがその外縁に環状に配された光学部を備えた眼用レンズの設計方法であって、
前記光学部の中央に配された前記近用部または前記遠用部において、中央から周辺に向かうＸ方向で見た時に度数を強めた後に弱めた部分Ａを有し且つＸ方向とは正反対の方向であって中央から周辺に向かうＸ’方向で見た時にも度数を強めた後に弱めた部分Ａ’を有するように眼用レンズを設計する、眼用レンズの設計方法である。
【００２７】
本発明の第１３の態様は、第１２の態様に記載の発明であって、
前記光学部においては前記近用部を中央に配し、
前記部分Ａおよび前記部分Ａ’においては前記近用度数よりも近用へと度数を強めた後に遠用度数に至るまで度数を弱めるように眼用レンズを設計する。
【００２８】
本発明の第１４の態様は、第１３の態様に記載の発明であって、
前記部分Ａにおいて度数が極大となる箇所は１か所のみとし、且つ、前記部分Ａ’においても度数が極大となる箇所は１か所のみとする。
【００２９】
本発明の第１５の態様は、第１３または第１４の態様に記載の発明であって、
前記部分Ａにおいて度数が極大となる箇所と、前記部分Ａ’において度数が極大となる箇所との間の平面視距離を１．０〜２．８ｍｍとする。
【００３０】
本発明の第１６の態様は、第１３〜第１５のいずれかの態様に記載の発明であって、
前記部分Ａにおける度数の極大値と前記近用度数との差を０．０５〜０．２５Ｄとし、且つ、前記部分Ａ’における度数の極大値と前記近用度数との差も０．０５〜０．２５Ｄとする。
【００３１】
本発明の第１７の態様は、第１２の態様に記載の発明であって、
前記光学部においては前記遠用部を中央に配し、
前記部分Ａおよび前記部分Ａ’においては前記遠用度数よりも遠用へと度数を強めた後に近用度数に至るまで度数を弱めるように眼用レンズを設計する。
【００３２】
本発明の第１８の態様は、第１７の態様に記載の発明であって、
前記部分Ａにおいて度数が極小となる箇所を１か所のみとし、且つ、前記部分Ａ’においても度数が極小となる箇所を１か所のみとする。
【００３３】
本発明の第１９の態様は、第１７または第１８の態様に記載の発明であって、
前記部分Ａにおいて度数が極小となる箇所と、前記部分Ａ’において度数が極小となる箇所との間の平面視距離を１．０〜２．８ｍｍとする。
【００３４】
本発明の第２０の態様は、第１７〜第１９のいずれかの態様に記載の発明であって、
前記部分Ａにおける度数の極小値と前記遠用度数との差を０．０５〜０．２５Ｄとし、且つ、前記部分Ａ’における度数の極小値と前記遠用度数との差も０．０５〜０．２５Ｄとする。
【００３５】
本発明の第２１の態様は、第１２〜第２０のいずれかの態様に記載の発明であって、
前記眼用レンズはコンタクトレンズ（ソフトコンタクトレンズまたはハードコンタクトレンズ。好ましくはソフトコンタクトレンズ。）である。
【００３６】
本発明の第２２の態様は、第１２〜第２０のいずれかの態様に記載の発明であって、
前記眼用レンズは眼内レンズである。
【００３７】
本発明の第２３の態様は、第１２〜第２２のいずれかに記載の眼用レンズの設計方法によって眼用レンズを設計する設計工程と、
設計された眼用レンズを加工装置により製造する加工工程と、
を有する、眼用レンズの製造方法である。
【００３８】
また、上記の眼用レンズを複数備える眼用レンズセットの態様を挙げると以下のとおりである。なお、以下の態様に対し、先に挙げた好適な態様を適宜組み合わせたものも本発明の態様である。
【００３９】
本発明の第２４の態様は、
近方距離を見るための近用度数を備えた近用部と、近方距離よりも遠くの距離を見るための遠用度数を備えた遠用部とを有し、前記近用部または前記遠用部が中央に配され、中央に配されなかったものがその外縁に環状に配された光学部を備えた眼用レンズを複数備える眼用レンズセットであって、
前記光学部の中央に配された前記近用部または前記遠用部において、中央から周辺に向かうＸ方向で見た時に度数を強めた後に弱めた部分Ａを有し且つＸ方向とは正反対の方向であって中央から周辺に向かうＸ’方向で見た時にも度数を強めた後に弱めた部分Ａ’を有する眼用レンズを複数備える、眼用レンズセットである。
【００４０】
また、上記の態様に組み合わせ可能な他の態様を列挙すると以下のとおりである。
【００４１】
本発明の第２５の態様は、上記の各態様において、
前記光学部においては前記近用部が中央に配され、
前記部分Ａおよび前記部分Ａ’とは、近用部内において度数が増加した後に近用度数以下へと減少し（好ましくは度数が減少し続け）た後、遠用度数に至るまで度数が減少す（好ましくは度数が減少し続け）る部分である。
【００４２】
本発明の第２６の態様は、第２５の態様において、
度数プロットで見たときに上に凸部分が２か所（すなわち凹部分が１か所）存在するのが好ましい。
【００４３】
本発明の第２７の態様は、第２５または第２６の態様において、
上記の平面視距離は１．０〜２．８ｍｍであるのが好ましく、下限は、より好ましくは１．２ｍｍ、さらに好ましくは１．４ｍｍ、非常に好ましくは１．６ｍｍであり、上限は、より好ましくは２．６ｍｍ、さらに好ましくは２．４ｍｍである。
【００４４】
本発明の第２８の態様は、第２５〜第２７のいずれかの態様において、
部分Ａにおける度数の極大値と近用度数との差は０．０５〜０．２５Ｄであり、且つ、部分Ａ’における度数の極大値と近用度数との差も０．０５〜０．２５Ｄであるのが好ましい。各々の下限は、より好ましくは０．１０Ｄ、さらに好ましくは０．１２Ｄ、非常に好ましくは０．１５Ｄであり、上限は、より好ましくは０．２０Ｄである。
【００４５】
本発明の第２９の態様は、第２５〜第２８のいずれかの態様において、
レンズに対して直線Ｘ−Ｘ’を光学中心Ｏを中心に０から１８０°まで回転させたときに、部分Ａおよび部分Ａ’において近用度数よりも近用へと度数を強めた後に遠用度数に至るまで度数を弱めた形状を有する部分が光学部の５０面積％以上であるのが好ましく、８０面積％以上がより好ましく、９０面積％以上がさらに好ましい。
【００４６】
本発明の第３０の態様は、上記の各態様において、
前記光学部においては前記遠用部が中央に配され、
前記部分Ａおよび前記部分Ａ’とは、遠用部内において度数が減少した後に遠用度数以上へと増加し（好ましくは増加し続け）た後、近用度数に至るまで度数が増加す（好ましくは度数が増加し続け）る部分である。
【００４７】
本発明の第３１の態様は、第３０の態様において、
度数プロットで見たときに凹部分が２か所（すなわち上に凸部分が１か所）存在するのが好ましい。
【００４８】
本発明の第３２の態様は、第３０または第３１の態様において、
上記の平面視距離は１．０〜２．８ｍｍであるのが好ましく、下限は、より好ましくは１．２ｍｍ、さらに好ましくは１．４ｍｍ、非常に好ましくは１．６ｍｍであり、上限は、より好ましくは２．６ｍｍ、さらに好ましくは２．４ｍｍである。
【００４９】
本発明の第３３の態様は、第３０〜第３２のいずれかの態様において、
部分Ａにおける度数の極小値と遠用度数との差は０．０５〜０．２５Ｄであり、且つ、部分Ａ’における度数の極小値と遠用度数との差も０．０５〜０．２５Ｄであるのが好ましい。各々の下限は、より好ましくは０．１０Ｄ、さらに好ましくは０．１２Ｄ、非常に好ましくは０．１５Ｄであり、上限は、より好ましくは０．２０Ｄである。
【００５０】
本発明の第３４の態様は、第３０〜第３３のいずれかの態様において、
レンズに対して直線Ｘ−Ｘ’を光学中心Ｏを中心に０から１８０°まで回転させたときに、部分Ａおよび部分Ａ’において遠用度数よりも遠用へと度数を強めた後に近用度数に至るまで度数を弱めた形状を有する部分が光学部の５０面積％以上であるのが好ましく、８０面積％以上がより好ましく、９０面積％以上がさらに好ましい。
【００５１】
本発明の第３５の態様は、上記の各態様において、
前記眼用レンズは眼内レンズであり、
前記眼用レンズは、前記光学部を有するレンズ本体と、前記レンズ本体から延在する支持部とを備える。
前記支持部は、例えば、レンズ本体から腕状に延在する２本の支持部である。
【００５２】
本発明の第３６の態様は、
近方距離を見るための近用度数を備えた近用部と、近方距離よりも遠くの距離を見るための遠用度数を備えた遠用部とを有し、前記近用部または前記遠用部が中央に配され、中央に配されなかったものがその外縁に環状に配された光学部を備えた眼用レンズであって、
前記光学部の中央に配された前記近用部または前記遠用部において、中央から周辺に向かうＸ方向で見た時に度数を強めた後に弱めた部分Ａを有し且つＸ方向とは正反対の方向であって中央から周辺に向かうＸ’方向で見た時には度数の変曲点が存在する、眼用レンズまたはその設計方法、製造方法である。
【発明の効果】
【００５３】
本発明によれば、光学部の中央に近用部が配された場合、近用部において近用度数を十分に確保しつつも近用部とその外縁に設けられた遠用部とのバランスを良好に保ち、光学部の中央に遠用部が配された場合、遠用部において遠用度数を十分に確保しつつも遠用部とその外縁に設けられた近用部とのバランスを良好に保つことが可能となる。
【図面の簡単な説明】
【００５４】
【図１】図１は、従来の多焦点レンズを平面視した概略図である。
【図２】図２は、従来のマルチフォーカルコンタクトレンズの光学部をＸ−Ｘ’方向の端Ｆから端Ｆ’まで見た時の度数をプロットした図である。
【図３】図３は、Ｘ方向およびＸ’方向で見た時に図２よりも度数を減少させる位置を光学中心Ｏから遠ざけた図である。
【図４】図４（ａ）は、本実施形態のマルチフォーカルコンタクトレンズの光学部をＸ−Ｘ’方向の端Ｆから端Ｆ’まで見た時の度数をプロットした図であり、図４（ｂ）は図４（ａ）における近用部の拡大図である。
【図５】図５は、本実施形態のマルチフォーカルコンタクトレンズにおける別パターンの度数プロット図である。
【図６】図６は、本実施形態のマルチフォーカルコンタクトレンズにおける別パターンの度数プロット図である。
【図７】図７は、本実施形態のマルチフォーカルコンタクトレンズにおける別パターンの度数プロット図である。
【図８】図８は、多焦点レンズ（中央に遠用部、その外縁に近用部を配したもの）を平面視した概略図である。
【図９】図９（ａ）は、別実施形態のマルチフォーカルコンタクトレンズの光学部をＸ−Ｘ’方向の端Ｎから端Ｎ’まで見た時の度数をプロットした図であり、図９（ｂ）は図９（ａ）における遠用部の拡大図である。
【図１０】図１０は、実施例１のレンズの光学部をＸ−Ｘ’方向の端Ｆから端Ｆ’まで見た時の度数のプロットである。
【図１１】図１１は、比較例１のレンズの光学部をＸ−Ｘ’方向の端Ｆから端Ｆ’まで見た時の度数のプロットである。
【図１２】図１２は、実施例２のレンズの光学部をＸ−Ｘ’方向の端Ｆから端Ｆ’まで見た時の度数のプロットである。
【図１３】図１３は、比較例２のレンズの光学部をＸ−Ｘ’方向の端Ｆから端Ｆ’まで見た時の度数のプロットである。
【発明を実施するための形態】
【００５５】
以下、本発明の実施の形態について図面を参照しつつ詳細に説明する。
本実施形態においては、次の順序で説明を行う。
１．コンタクトレンズ
１−１．マルチフォーカルコンタクトレンズ（多焦点レンズ）
１−１−１．近用部を中央に配置
１−１−２．遠用部を中央に配置
１−２．その他のコンタクトレンズ
２．コンタクトレンズの設計方法（製造方法）
３．眼内レンズ（ＩＯＬ）およびその設計方法（製造方法）
４．眼用レンズセット
５．変形例
【００５６】
なお、以下に記載が無い構成については、公知の構成を適宜採用しても構わない。また、本明細書において「〜」は所定の値以上かつ所定の値以下を指す。
また、本明細書にて扱う眼用レンズ（コンタクトレンズ、または眼内レンズにおけるレンズ本体）は互いに対向する二つの面を有する。該眼用レンズを装用者が装着した際に網膜側に位置する方を「後面」とし、その逆の物体側に位置する方を「前面」とする。
また、本明細書にて度数とはパワー（単位は［Ｄ］）のことを指す。
【００５７】
また、先ほど述べたところであるが、中央に近用部が配される場合、「近用度数を強め」とは、より近くが見える方向すなわちプラス方向に強めることを指し、度数を増加させることを指す（例：５．００Ｄ→５．１０Ｄ）。逆に「近用度数を弱め」とは、近くが見えにくくなる方向すなわちプラス方向に見て弱めることを指し、度数を減少させることを指す（例：５．１０Ｄ→５．００Ｄ）。
その一方、中央に遠用部が配される場合、「遠用度数を強め」とは、より遠くが見える方向すなわちマイナス方向に強めることを指し、度数を減少させることを指す（例：０．００Ｄ→−０．１０Ｄ）。逆に「遠用度数を弱め」とは、遠くが見えにくくなる方向すなわちプラス方向に見て弱めることを指し、度数を増加させることを指す（例：−０．１０Ｄ→０．００Ｄ）。
つまり、中央に近用部が配されるか遠用部が配されるか未定の段階での「度数を強め」とは、近用度数または遠用度数を強めることを意味し、「度数を弱め」とは近用度数または遠用度数を弱めることを意味する。
【００５８】
＜１．コンタクトレンズ＞
１−１．マルチフォーカルコンタクトレンズ（多焦点レンズ）
本実施形態においてはマルチフォーカルコンタクトレンズ（多焦点レンズ。以降、単にレンズとも称する。）を主として例示する。
【００５９】
１−１−１．近用部を中央に配置
本実施形態におけるレンズは、先に説明した従来のレンズと同様、光学性能に主として寄与する略円形状の光学部と、該光学部の周縁に位置する環状の周辺部を備える。先ほど述べたように周辺部はレンズを角膜上に載置した際に瞼の裏に入り込みやすいフランジ形状を有するのが通常である。そして光学部は、近方距離を見るための近用度数を備えた近用部と、近方距離よりも遠くの距離（無限遠含む）を見るための遠用度数を備えた遠用部とを有するものである。そして本実施形態においては、近用部が中央に配され、遠用部がその外縁に環状に配された例を挙げる。なお、平面視の構成としては先に挙げた図１と同様である。本例においても光学中心Ｏをレンズの幾何中心と一致させた例を挙げるが、本発明はそれに限定されない（以降同様）。
【００６０】
本実施形態のレンズが従来のものと主として異なるのは度数のプロットである。以下、詳述する。
本実施形態のマルチフォーカルコンタクトレンズの光学部をＸ−Ｘ’方向の端Ｆから端Ｆ’まで見た時の度数をプロットした図４（ａ）および近用部の拡大図である図４（ｂ）を用いて説明する。図２と同様、横軸は、レンズを平面視した際のＸ−Ｘ’における光学中心Ｏからの距離を示す。縦軸は、レンズの度数（単位：ディオプター［Ｄ］）を示す。
【００６１】
先ほども述べたように、近用部が中央に配され、遠用部がその外縁に環状に配されている。その関係上、光学中心Ｏの方が遠用部よりも度数が高く設定されている。なお、レンズの処方としては、通常、遠用度数Ｓと加入度数ＡＤＤ（そして乱視矯正を行う場合は乱視度数Ｃ）の値が与えられるが、近用度数とは（Ｓ＋ＡＤＤ）の値である（各度数の単位は［Ｄ］、以降同様）。近用部Ｎ−Ｎ’において光学中心Ｏの近傍において度数を近用度数の値とする。なお、厳密に光学中心Ｏの位置において近用度数の値（すなわち光学中心Ｏにおける度数＝近用度数）とする一方で、光学中心Ｏが幾何中心からずれた場合、幾何中心においては近用度数の値からわずかにずれても構わない。
ただし、図４（ｂ）に示すように、本実施形態のレンズは、部分Ａおよび部分Ａ’においては近用度数よりも近用へと度数を強めた後に遠用度数に至るまで度数を弱めた形状を有する。ここで言う部分Ａおよび部分Ａ’とは、近用部内において例えば部分Ａだと度数が増加した後に近用度数以下へと減少し（好ましくは度数が減少し続け）た後、遠用度数に至るまで度数が減少す（好ましくは度数が減少し続け）る部分のことを指す。図４で言うと、部分Ａおよび部分Ａ’は、近用部（中央）に存在しつつもその周辺である遠用部にもわたって存在する部分である。
【００６２】
なお、部分Ａにおいて度数が極大となる箇所は１か所のみであり、且つ、部分Ａ’においても度数が極大となる箇所は１か所のみであるのが好ましい。言い換えると、度数プロットで見たときに上に凸部分が２か所（すなわち凹部分が１か所）存在するのが好ましい。この規定により、度数プロットで見たときに多数の小さな凸部分を設けなくて済む。多数の小さな凸部分を設けても、図２に示す斜線部分を十分に埋めることが難しい場合もある。そのため、部分Ａや部分Ａ’において度数が極大となる箇所を度数プロット上で１か所大きく設けるのに越したことはない。ただ、それは必須ではなく、例えば２、３か所の極大となる箇所を設けても構わない。
【００６３】
また、部分Ａにおいて度数が極大となる箇所と、部分Ａ’において度数が極大となる箇所との間の平面視距離Ｌは１．０〜２．８ｍｍであるのが好ましい。下限は、より好ましくは１．２ｍｍ、さらに好ましくは１．４ｍｍ、非常に好ましくは１．６ｍｍであり、上限は、より好ましくは２．６ｍｍ、さらに好ましくは２．４ｍｍである。この規定により、度数の増加後減少させる位置を確実に適切なものとすることが可能となる。ただ、それは必須ではなく、レンズの種類に応じて適宜平面視距離Ｌを設定しても構わない。
【００６４】
また、部分Ａにおける度数の極大値と近用度数との差は０．０５〜０．２５Ｄであり、且つ、部分Ａ’における度数の極大値と近用度数との差も０．０５〜０．２５Ｄであるのが好ましい。各々の下限は、より好ましくは０．１０Ｄ、さらに好ましくは０．１２Ｄ、非常に好ましくは０．１５Ｄであり、上限は、より好ましくは０．２０Ｄである。この規定により、図２に示す斜線部分を十分にかつ確実に埋めることが可能となる。ただ、それは必須ではなく、状況に応じて上記の差を適宜設定しても構わないし、部分Ａと部分Ａ’とで上記の度数差が異なっていてももちろん構わない。
【００６５】
なお、本実施形態においては中央に配されるもの（ここでは近用部）における度数の増減の挙動に大きな特徴がある。この特徴のおかげで外縁に配されるもの（ここでは遠用部）を十分に広く確保することが可能となる。そのため、外縁の遠用部の度数プロットについては特に限定されるものではない。例えば、先に示した図４（ａ）に示すような度数プロット、すなわちはじめは緩やかに度数が減少し、その後で急激に度数が減少し、再び度数の減少が緩やかとなり、最終的には遠用度数へと至った後も度数が減少し続けるという度数プロットを有しても構わない。
その一方で、図５に示すように、はじめは緩やかに度数が減少し、その後で少しばかり急に度数が減少し、最終的には遠用度数へと至った後も度数が減少し続けるという度数プロットを有しても構わない。
また、図６に示すように、はじめは緩やかに度数が減少し、その後で急激に度数が減少し、再び度数の減少が緩やかとなり、最終的には遠用度数へと至った後は度数変化が無くなるという度数プロットを有しても構わない。
また、図７に示すように、はじめは緩やかに度数が減少し、その後で少しばかり急に度数が減少したのちに急激に度数が減少し、最終的には遠用度数へと至った後も度数が減少し続けるという度数プロットを有しても構わない。
さらに言うと、中央の近用部、周縁の遠用部に加え、そのさらに周縁に環状の近用部を設ける場合も本発明は排除しない。また、後で詳述するが中央に遠用部を設け、周縁に近用部、そのさらに周縁に環状の遠用部を設ける場合も同様である。
【００６６】
なお、上記においては度数プロットにより本実施形態における近用部を規定したが、度数プロットの代わりに前面の形状（曲率）にて近用部を規定することも可能である。なぜなら、従来のレンズだと、角膜と接する方の面（後面）は角膜の形状に倣った面（例えば球面やトーリック面）に準ずる形状としなければならない。そうなると、度数の調整を瞼側の面（前面）の形状により行わなければならない。その結果、度数プロットの特徴がレンズの前面の形状（曲率）により表すことも可能となり、以下のような表現となる。
「近方距離を見るための近用度数を備えた近用部と、近方距離よりも遠くの距離を見るための遠用度数を備えた遠用部とを有し、近用部が中央に配され、遠用部がその外縁に環状に配された光学部を備えた眼用レンズであって、
近用部において、中央から周辺に向かうＸ方向で見た時に曲率半径を減少させた後に増加させた部分Ａを有し且つＸ方向とは正反対の方向であって中央から周辺に向かうＸ’方向で見た時にも曲率半径を減少させた後に増加させた部分Ａ’を有する、眼用レンズ。
好ましくは、
部分Ａにおいて曲率半径が極小となる箇所は１か所のみであり、且つ、部分Ａ’においても曲率半径が極小となる箇所は１か所のみである。
好ましくは、
部分Ａにおいて曲率半径が極小となる箇所と、部分Ａ’において曲率半径が極小となる箇所との間の平面視距離は１．０〜２．８ｍｍである。
好ましくは、
部分Ａにおける曲率半径の極小値と光学中心の曲率半径との差の好適な値は、中央の度数（パワー）によるところが大きいが、一例としては０．０１〜０．１３ｍｍ、好ましくは０．０３〜０．１１ｍｍであり、部分Ａ’における曲率半径の極小値と近用度数との差も一例としては０．０１〜０．１３ｍｍ、好ましくは０．０３〜０．１１ｍｍである。その際の設定は、光学中心のパワーを−３．００Ｄ、ベースカーブ８．５ｍｍ、屈折率１．４５、中心肉厚０．１０ｍｍとしている。」
ちなみに度数にて規定した場合の好適例を、曲率半径を用いた場合に対し、適宜度数を曲率半径へと変換したうえで適用することも可能である。
【００６７】
なお、本実施形態のレンズは、部分Ａおよび部分Ａ’においては近用度数よりも近用へと度数を強めた後に遠用度数に至るまで度数を弱めた形状を有する。例えば、レンズに対して直線Ｘ−Ｘ’を光学中心Ｏを中心に０から１８０°まで回転させたときに、該形状を有する部分が光学部全体（説明の便宜上、単に光学部とも称する。）の５０面積％以上であるのが好ましく、８０面積％以上がより好ましく、９０面積％以上がさらに好ましい。
なお、本明細書において「面積％」とは、平面視した際の光学部の面積に対し、同じく平面視した際の、光学中心からみて、レンズに対して直線Ｘ−Ｘ’を光学中心Ｏを中心に０から１８０°まで回転させたときに上記の形状を有する部分（例えば光学中心Ｏと光学部の最外縁の円弧で囲まれる扇形の２か所の部分（０°〜１８０°にある部分Ａ、１８０°〜３６０°にある部分Ａ’））の面積の合計の百分率を意味する。
また、レンズにおける光学部と周辺部との間には、先に述べたように目視で確認可能な境目があるわけではないが、レンズの度数を測定する装置（パワーメータ）を使用することにより判別可能である。
【００６８】
１−１−２．遠用部を中央に配置
上記の例とは逆に、遠用部が中央に配され、近用部がその外縁に環状に配された場合についても本発明の思想を適用することが可能である。なお、平面視の構成としては先に挙げた図４における近用部と遠用部の位置を逆転させたものとなる。それを表したのが図８である。
なお、本例における部分Ａおよび部分Ａ’とは、遠用部内において例えば部分Ａだと度数が減少した後に遠用度数以上へと増加し（好ましくは増加し続ける）た後、近用度数に至るまで度数が増加す（好ましくは度数が増加し続け）る部分のことを指す。図９で言うと、部分Ａおよび部分Ａ’は、遠用部（中央）に存在しつつもその周辺である近用部にもわたって存在する部分である。
【００６９】
本例のマルチフォーカルコンタクトレンズの光学部をＸ−Ｘ’方向の端Ｎから端Ｎ’まで見た時の度数をプロットした図９（ａ）および遠用部の拡大図である図９（ｂ）を用いて説明する。
【００７０】
本例においては、遠用部が中央に配され、近用部がその外縁に環状に配されている。その関係上、光学中心Ｏの方が近用部よりも度数が低く設定されている。なお、レンズの処方としては、通常、遠用度数Ｓと加入度数ＡＤＤ（そして乱視矯正を行う場合は乱視度数Ｃ）の値が与えられる。なお、厳密に光学中心Ｏの位置において遠用度数の値（すなわち光学中心Ｏにおける度数＝遠用度数Ｓ）とする一方で、光学中心Ｏが幾何中心からずれた場合、幾何中心においては遠用度数の値からわずかにずれても構わない。
ただし、図９（ｂ）に示すように、本例のレンズは、部分Ａおよび部分Ａ’においては遠用度数よりも遠用へと度数を強め（より遠くが見える方向すなわちマイナス方向に強める。）た後に近用度数に至るまで度数を弱め（遠くが見えない方向すなわちマイナス方向から見て弱める。）た形状を有する。
【００７１】
なお、部分Ａにおいて度数が極小となる箇所は１か所のみであり、且つ、部分Ａ’においても度数が極小となる箇所は１か所のみであるのが好ましい。言い換えると、度数プロットで見たときに凹部分が２か所（上に凸部分が１か所）存在するのが好ましい。この規定により、度数プロットで見たときに多数の小さな凹部分を設けなくて済む。多数の小さな凹部分を設けても、遠用度数を十分に確保することが難しい場合もある。そのため、部分Ａや部分Ａ’において度数が極小となる箇所を度数プロット上で１か所大きく設けるのに越したことはない。ただ、それは必須ではなく、例えば２、３か所の極小となる箇所を設けても構わない。
【００７２】
また、部分Ａにおいて度数が極小となる箇所と、部分Ａ’において度数が極小となる箇所との間の平面視距離Ｌは１．０〜２．８ｍｍであるのが好ましい。下限は、より好ましくは１．２ｍｍ、さらに好ましくは１．４ｍｍ、非常に好ましくは１．６ｍｍであり、上限は、より好ましくは２．６ｍｍ、さらに好ましくは２．４ｍｍである。この規定により、度数の増加後減少させる位置を確実に適切なものとすることが可能となる。ただ、それは必須ではなく、レンズの種類に応じて適宜平面視距離Ｌを設定しても構わない。
【００７３】
また、部分Ａにおける度数の極小値と遠用度数との差は０．０５〜０．２５Ｄであり、且つ、部分Ａ’における度数の極小値と遠用度数との差も０．０５〜０．２５Ｄであるのが好ましい。各々の下限は、より好ましくは０．１０Ｄ、さらに好ましくは０．１２Ｄ、非常に好ましくは０．１５Ｄであり、上限は、より好ましくは０．２０Ｄである。この規定により、図２に示す斜線部分を十分にかつ確実に埋めることが可能となる。ただ、それは必須ではなく、状況に応じて上記の差を適宜設定しても構わないし、部分Ａと部分Ａ’とで上記の度数差が異なっていてももちろん構わない。
【００７４】
なお、本例においても、中央に配されるもの（ここでは遠用部）における度数の増減の挙動に大きな特徴がある。この特徴のおかげで外縁に配されるもの（ここでは近用部）を十分に広く確保することが可能となる。そのため、外縁の近用部の度数プロットについては特に限定されるものではない。例えば先に示した図５〜７の度数プロットを上下逆転させた形状であっても構わない。
【００７５】
なお、本例のレンズは、部分Ａおよび部分Ａ’においては遠用度数よりも遠用へと度数を強めた後に近用度数に至るまで度数を弱めた形状を有する。例えば、レンズに対して直線Ｘ−Ｘ’を光学中心Ｏを中心に０から１８０°まで回転させたときに、該形状を有する部分が光学部の５０面積％以上であるのが好ましく、８０面積％以上がより好ましく、９０面積％以上がさらに好ましい。
【００７６】
また、度数プロットの代わりに前面の形状（曲率）にて遠用部を規定する場合についても、先ほど中央に近用部を配する場合にて述べたのと原理は同様であり、近用部と遠用部とを入れ替え、極大を極小と置き換え、「（曲率半径を）減少させた後に増加」を「（曲率半径を）増加させた後に減少」と置き換えればよい。
【００７７】
１−２．その他のコンタクトレンズ
本実施形態においてはマルチフォーカルコンタクトレンズを例示したが、それ以外のコンタクトレンズにも本発明の技術的思想を適用することが可能である。
【００７８】
例えばバイフォーカルコンタクトレンズにおいては、中央に近用部を配する場合、外縁の遠用部との境界近傍において上述のように、中央から周辺に向かうＸ方向で見た時に近用度数よりも近用へと度数を強めた後に遠用度数に至るまで度数を弱めた部分Ａを有し且つＸ方向とは正反対の方向であって中央から周辺に向かうＸ’方向で見た時にも近用度数よりも近用へと度数を強めた後に遠用度数に至るまで度数を弱めた部分Ａ’を有する構成を備えさせる。これにより、近用部において近用度数を十分に確保しつつも近用部とその外縁に設けられた遠用部とのバランスを良好に保つことが可能となる。好適例等については＜１−１−１．近用部を中央に配置＞の項目にて述べた内容と重複するため省略する。
なお、遠用部を中央に配置して外縁に近用部を配置した場合についても本発明の技術的思想を適用することが可能である。その他の内容は、＜１−１−２．遠用部を中央に配置＞の項目にて述べた内容と重複するため省略する。
【００７９】
また、マルチフォーカルトーリックコンタクトレンズにおいても、トーリック形状だからといって上記のような度数の挙動は妨げられないため、本発明の技術的思想を適用することが可能である。
【００８０】
なお、先に説明した部分ＡおよびＡ’を備える本実施形態のレンズは、ソフトコンタクトレンズであってもハードコンタクトレンズであっても適用可能であるが、角膜上での配置がほとんど動かないソフトコンタクトレンズだと、十分な光学性能および装用者への顧客満足を提供する点でより好ましい。
【００８１】
以上の結果、本実施形態の各例によれば、光学部の中央に近用部が配された場合、近用部において近用度数を十分に確保しつつも近用部とその外縁に設けられた遠用部とのバランスを良好に保ち、光学部の中央に遠用部が配された場合、遠用部において遠用度数を十分に確保しつつも遠用部とその外縁に設けられた近用部とのバランスを良好に保つことが可能となる。
【００８２】
＜２．コンタクトレンズの設計方法（製造方法）＞
上記の内容は、コンタクトレンズの設計方法や製造方法においても十分に適用可能である。例えば設計方法については以下の構成となる。
「近方距離を見るための近用度数を備えた近用部と、近方距離よりも遠くの距離を見るための遠用度数を備えた遠用部とを有し、前記近用部または前記遠用部が中央に配され、中央に配されなかったものがその外縁に環状に配された光学部を備えた眼用レンズの設計方法であって、
前記光学部の中央に配された前記近用部または前記遠用部において、中央から周辺に向かうＸ方向で見た時に度数を強めた後に弱めた部分Ａを有し且つＸ方向とは正反対の方向であって中央から周辺に向かうＸ’方向で見た時にも度数を強めた後に弱めた部分Ａ’を有するように眼用レンズを設計する、眼用レンズの設計方法。」
【００８３】
なお、具体的な設計手法に関してであるが公知のレンズの設計方法や設計装置にて設計を行えば足りる。また、＜１．コンタクトレンズ＞にて述べた場合分け（中央に近用部を配する場合と遠用部を配する場合）および各好適例は本項目に適用可能であり、＜１．コンタクトレンズ＞の記載と重複してしまうため、ここでは記載を省略する。
【００８４】
また、製造方法に関してであるが、上記の眼用レンズの設計方法（場合によっては各好適例を適宜組み合わせる）によって眼用レンズを設計する設計工程と、設計された眼用レンズを加工装置により製造する加工工程と、を有する。なお、具体的な加工手法に関してであるがこれも公知のレンズの加工装置を用いて加工を行えば足りる。
【００８５】
＜３．眼内レンズ（ＩＯＬ）およびその設計方法（製造方法）＞
本発明の技術的思想は、眼内レンズ（ＩＯＬ）およびその設計方法（製造方法）においても十分に適用可能である。眼内レンズとしては特に限定は無く、水晶体嚢内に配置する形式（イン  ザ  バッグ）の眼内レンズや、嚢外に配置する形式（アウト  ザ  バッグ）の眼内レンズや、縫着型の眼内レンズ等々に適用可能である。
【００８６】
なお、本発明の技術的思想を眼内レンズに適用する場合、少なくとも光学部があればよい。なお、＜１−１．マルチフォーカルコンタクトレンズ（多焦点レンズ）＞で述べたのと同様に、光学性能に主として寄与する光学部の周縁に環状の周辺部を設けても構わないが、ここで挙げる本例の眼内レンズは、光学部と、水晶体嚢内にて光学部を支持する支持部とで構成される。比較的多いケースとしては、眼内レンズが、上記の光学部と、光学部から延在する支持部とを備える場合である。支持部については公知の眼内レンズの支持部の形状を採用すればよいが、例えば光学部から腕状に延在する２本の支持部を光学部に設け、これを眼内レンズとしても構わない。
【００８７】
なお、眼内レンズの設計方法（製造方法）についてであるが、光学部の設計は＜２．コンタクトレンズの設計方法（製造方法）＞で述べたのと同様であることから記載を省略する。具体的な設計（製造）手法に関してであるが公知の眼内レンズの設計方法（加工装置）にて設計を行えば足りる。また、＜１．コンタクトレンズ＞にて述べた場合分け（中央に近用部を配する場合と遠用部を配する場合）および各好適例は本項目に適用可能であり、＜１．コンタクトレンズ＞の記載と重複してしまうため、ここでは記載を省略する。
【００８８】
＜４．眼用レンズセット＞
上記の内容は、本実施形態にて例示したコンタクトレンズを複数備えるコンタクトレンズセットや、同じく本実施形態にて例示した眼内レンズを複数備える眼内レンズセットにおいても十分に適用可能である。これらのレンズセットを総称して「眼用レンズセット」と称する。
【００８９】
少なくともコンタクトレンズを製品として販売する際には、１枚のコンタクトレンズを販売するのみならず、多種多様な度数（パワー）やベースカーブを有する複数のコンタクトレンズをひとまとめにして（例：同じベースカーブを有する一方で度数が異なる複数のコンタクトレンズ）一商品名として頻繁に販売されている。
【００９０】
そこで、先に詳述した本実施形態のコンタクトレンズ（または眼内レンズ等）のような度数の挙動を示すものを複数揃えた眼用レンズセットに関しても、本発明の技術的思想が十分に反映されている。
見方を変えると、本実施形態における眼用レンズセットを構成するすべての眼用レンズセットが上述のような度数の挙動を示す。これは、従来技術において上記の度数の挙動を示す眼用レンズが１枚作製されたとしても、偶々作製されたこの眼用レンズと、本実施形態における眼用レンズセットとでは、構成として全く相違することを意味する。
【００９１】
上記の眼用レンズを複数備える眼用レンズセットの構成は以下のとおりである。なお、以下の構成に対し、先に挙げた好適例を適宜組み合わせてもよい。
【００９２】
「近方距離を見るための近用度数を備えた近用部と、近方距離よりも遠くの距離を見るための遠用度数を備えた遠用部とを有し、前記近用部または前記遠用部が中央に配され、中央に配されなかったものがその外縁に環状に配された光学部を備えた眼用レンズを複数備える眼用レンズセットであって、
前記光学部の中央に配された前記近用部または前記遠用部において、中央から周辺に向かうＸ方向で見た時に度数を強めた後に弱めた部分Ａを有し且つＸ方向とは正反対の方向であって中央から周辺に向かうＸ’方向で見た時にも度数を強めた後に弱めた部分Ａ’を有する眼用レンズを複数備える、眼用レンズセット。」
【００９３】
＜５．変形例＞
本発明は上記の各例に限定されることはなく、上記の各例および好適例を適宜組み合わせてももちろん構わない。また、先に挙げた実施形態だと、Ｘ方向にもＸ’方向にも、度数を強めた後に弱めた部分を有するが、一方にのみ該部分を有しても本発明の効果を多少なりとも奏することが期待される。この内容を規定すると以下のようになる。
「近方距離を見るための近用度数を備えた近用部と、近方距離よりも遠くの距離を見るための遠用度数を備えた遠用部とを有し、前記近用部または前記遠用部が中央に配され、中央に配されなかったものがその外縁に環状に配された光学部を備えた眼用レンズであって、
前記光学部の中央に配された前記近用部または前記遠用部において、中央から周辺に向かうＸ方向で見た時に度数を強めた後に弱めた部分Ａを有し且つＸ方向とは正反対の方向であって中央から周辺に向かうＸ’方向で見た時には度数の変曲点が存在する、眼用レンズまたはその設計方法、製造方法。」
ちなみにここでＸ’方向で度数の変曲点を存在させている理由としては、Ｘ’方向にて度数を強めた後に弱めたまでは行かないにしてもそれに近い形状がある方が本発明の効果を奏しやすくなるためである。そして該それに近い形状を規定したものが“度数の変曲点が存在”という表現である。
【実施例】
【００９４】
次に実施例を示し、本発明について具体的に説明する。もちろん本発明は、以下の実施例に限定されるものではない。
【００９５】
本発明に係るマルチフォーカルコンタクトレンズであるところのソフトコンタクトレンズ（以降、単にレンズと称する。）と従来技術に係る（本発明の技術的思想を反映させていない）レンズを用意し、５０代男性を被検者とし、試験を行った。このときの本発明に係るレンズを実施例１、従来技術に係るレンズを比較例１とした。
また、上記試験とは別に、６０代男性を被検者とし、上記の各レンズを用いて試験を行った。このときの本発明に係るレンズを実施例２、従来技術に係るレンズを比較例２とした。
【００９６】
（実施例１、比較例１）
まず、５０代男性の完全矯正値を設定した。なお完全矯正値とは被検者にとって最も物が見えやすい条件のことを意味する。以下、右目（ＶＤ）および左目（ＶＳ）における完全矯正値を示す。
ＶＤ＝１．５×Ｓ＋０．５０Ｄ（頂点間距離を考慮した有効加入度数＋１．２０Ｄ）
ＶＳ＝１．５×Ｓ＋０．５０Ｄ（頂点間距離を考慮した有効加入度数＋１．２０Ｄ）
上記の各式の意味は、球面度数Ｓを０．５０Ｄとすることにより視力１．５を達成できることを意味する。また、頂点間距離を考慮した有効加入度数＋１．２０Ｄとは、眼鏡レンズにおいて頂点間距離１２ｍｍであった場合をコンタクトレンズの場合に対応させた場合の補正量を表す。
【００９７】
また、実施例１、比較例１のレンズの処方は以下の通りである。
Ｒ：ＢＣ８．７ｍｍ／Ｐ＋０．５０Ｄ／ＡＤＤ＋１．５０（光学部において、中央に近用部を配し、その周縁に遠用部を配するレンズ）
Ｌ：ＢＣ８．７ｍｍ／Ｐ＋０．５０Ｄ／ＡＤＤ＋１．５０（光学部において、中央に近用部を配し、その周縁に遠用部を配するレンズ）
なお、実施例１のレンズの光学部をＸ−Ｘ’方向の端Ｆから端Ｆ’まで見た時の度数をプロットしたのが図１０である。また、実施例１のレンズにおいては、レンズに対して直線Ｘ−Ｘ’を光学中心Ｏを中心に０から１８０°まで回転させたときに、光学部（全体）が該形状を有するようにした。
同様に、比較例１のレンズの光学部をＸ−Ｘ’方向の端Ｆから端Ｆ’まで見た時の度数をプロットしたのが図１１である。
【００９８】
以下、その結果を表１に示す。
【表１】
2018120040.tif 000003
表１に示すように、実施例１においては遠方視、近方視ともに被検者を満足させることができた。その一方、比較例１においては近方視において被検者を満足させることができなかった。これは、近用部が狭くなり且つ近用度数が不足してしまったこと、言い換えると遠用度数を確保すべく遠用部を広く確保しすぎてしまったことに起因すると考えられる。
【００９９】
（実施例２、比較例２）
まず、６０代男性の完全矯正値を設定した。なお完全矯正値とは被検者にとって最も物が見えやすい条件のことを意味する。以下、右目（ＶＤ）および左目（ＶＳ）における完全矯正値を示す。
ＶＤ＝１．５×Ｓ−１．２５Ｄ（頂点間距離を考慮した有効加入度数＋１．８０Ｄ）
ＶＳ＝１．５×Ｓ−１．２５Ｄ（頂点間距離を考慮した有効加入度数＋１．８０Ｄ）
【０１００】
また、実施例２、比較例２のレンズの処方は以下の通りである。
Ｒ：ＢＣ８．７ｍｍ／Ｐ−１．２５Ｄ／ＡＤＤ＋２．００（光学部において、中央に近用部を配し、その周縁に遠用部を配するレンズ）
Ｌ：ＢＣ８．７ｍｍ／Ｐ−１．２５Ｄ／ＡＤＤ＋２．００（光学部において、中央に近用部を配し、その周縁に遠用部を配するレンズ）
なお、実施例２のレンズの光学部をＸ−Ｘ’方向の端Ｆから端Ｆ’まで見た時の度数をプロットしたのが図１２である。また、実施例２のレンズにおいては、レンズに対して直線Ｘ−Ｘ’を光学中心Ｏを中心に０から１８０°まで回転させたときに、光学部（全体）が該形状を有するようにした。
同様に、比較例２のレンズの光学部をＸ−Ｘ’方向の端Ｆから端Ｆ’まで見た時の度数をプロットしたのが図１３である。
【０１０１】
以下、その結果を表２に示す。
【表２】
2018120040.tif 000004
表２に示すように、実施例２においては遠方視、近方視ともに被検者を満足させることができた。その一方、比較例２においてはやはり近用視において被検者を満足させることができなかった。これは、比較例１と同様に近用部が狭くなり且つ近用度数が不足してしまったこと、言い換えると遠用度数を確保すべく遠用部を広く確保しすぎてしまったことに起因すると考えられる。
【０１０２】
（まとめ）
以上の結果、各実施例によれば、光学部の中央に近用部が配された場合、近用部において近用度数を十分に確保しつつも近用部とその外縁に設けられた遠用部とのバランスを良好に保つことが可能となることがわかった。なお、光学部の中央に遠用部が配された場合にも同様の効果が十分に期待できる。
【符号の説明】
【０１０３】
１………近用部
２………遠用部
３………光学部
４………周辺部
５………マルチフォーカルコンタクトレンズ
【図１】
2018120040.tif 000005
【図２】
2018120040.tif 000006
【図３】
2018120040.tif 000007
【図４】
2018120040.tif 000008
【図５】
2018120040.tif 000009
【図６】
2018120040.tif 000010
【図７】
2018120040.tif 000011
【図８】
2018120040.tif 000012
【図９】
2018120040.tif 000013
【図１０】
2018120040.tif 000014
【図１１】
2018120040.tif 000015
【図１２】
2018120040.tif 000016
【図１３】
2018120040.tif 000017
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
近方距離を見るための近用度数を備えた近用部と、近方距離よりも遠くの距離を見るための遠用度数を備えた遠用部とを有し、前記近用部が中央に配され、前記遠用部がその外縁に環状に配された光学部を備えた眼用レンズであって、
前記光学部の中央に配された前記近用部において、中央から周辺に向かうＸ方向で見た時に前記近用度数よりも近用へと度数を強めた後に遠用度数に至るまで度数を弱めた形状を有する部分Ａを有し且つＸ方向とは正反対の方向であって中央から周辺に向かうＸ’方向で見た時にも前記近用度数よりも近用へと度数を強めた後に遠用度数に至るまで度数を弱めた形状を有する部分Ａ’を有する、眼用レンズ。
【請求項２】
前記部分Ａにおいて度数が極大となる箇所は１か所のみであり、且つ、前記部分Ａ’においても度数が極大となる箇所は１か所のみである、請求項１に記載の眼用レンズ。
【請求項３】
前記部分Ａにおいて度数が極大となる箇所と、前記部分Ａ’において度数が極大となる箇所との間の平面視距離は１．０〜２．８ｍｍである、請求項１または２に記載の眼用レンズ。
【請求項４】
前記部分Ａにおける度数の極大値と前記近用度数との差は０．１２〜０．２５Ｄであり、且つ、前記部分Ａ’における度数の極大値と前記近用度数との差も０．１２〜０．２５Ｄである、請求項１〜３のいずれかに記載の眼用レンズ。
【請求項５】
近方距離を見るための近用度数を備えた近用部と、近方距離よりも遠くの距離を見るための遠用度数を備えた遠用部とを有し、前記遠用部が中央に配され、前記近用部がその外縁に環状に配された光学部を備えた眼用レンズであって、
前記光学部の中央に配された前記遠用部において、中央から周辺に向かうＸ方向で見た時に前記遠用度数よりも遠用へと度数を強めた後に近用度数に至るまで度数を弱めた形状を有する部分Ａを有し且つＸ方向とは正反対の方向であって中央から周辺に向かうＸ’方向で見た時にも前記遠用度数よりも遠用へと度数を強めた後に近用度数に至るまで度数を弱めた形状を有する部分Ａ’を有し、
前記部分Ａにおける度数の極小値と前記遠用度数との差は０．１２〜０．２５Ｄであり、且つ、前記部分Ａ’における度数の極小値と前記遠用度数との差も０．１２〜０．２５Ｄである、眼用レンズ。
【請求項６】
前記部分Ａにおいて度数が極小となる箇所は１か所のみであり、且つ、前記部分Ａ’においても度数が極小となる箇所は１か所のみである、請求項５に記載の眼用レンズ。
【請求項７】
前記部分Ａにおいて度数が極小となる箇所と、前記部分Ａ’において度数が極小となる箇所との間の平面視距離は１．０〜２．８ｍｍである、請求項５または６に記載の眼用レンズ。
【請求項８】
前記眼用レンズはコンタクトレンズである、請求項１〜７のいずれかに記載の眼用レンズ。
【請求項９】
前記眼用レンズは眼内レンズである、請求項１〜７のいずれかに記載の眼用レンズ。
【請求項１０】
近方距離を見るための近用度数を備えた近用部と、近方距離よりも遠くの距離を見るための遠用度数を備えた遠用部とを有し、前記近用部が中央に配され、前記遠用部がその外縁に環状に配された光学部を備えた眼用レンズの設計方法であって、
前記光学部の中央に配された前記近用部において、中央から周辺に向かうＸ方向で見た時に前記近用度数よりも近用へと度数を強めた後に遠用度数に至るまで度数を弱めた形状を有する部分Ａを有し且つＸ方向とは正反対の方向であって中央から周辺に向かうＸ’方向で見た時にも前記近用度数よりも近用へと度数を強めた後に遠用度数に至るまで度数を弱めた形状を有する部分Ａ’を有するように眼用レンズを設計する、眼用レンズの設計方法。
【請求項１１】
前記部分Ａにおいて度数が極大となる箇所は１か所のみとし、且つ、前記部分Ａ’においても度数が極大となる箇所は１か所のみとする、請求項１０に記載の眼用レンズの設計方法。
【請求項１２】
前記部分Ａにおいて度数が極大となる箇所と、前記部分Ａ’において度数が極大となる箇所との間の平面視距離を１．０〜２．８ｍｍとする、請求項１０または１１に記載の眼用レンズの設計方法。
【請求項１３】
前記部分Ａにおける度数の極大値と前記近用度数との差を０．１２〜０．２５Ｄとし、且つ、前記部分Ａ’における度数の極大値と前記近用度数との差も０．１２〜０．２５Ｄとする、請求項１０〜１２のいずれかに記載の眼用レンズの設計方法。
【請求項１４】
近方距離を見るための近用度数を備えた近用部と、近方距離よりも遠くの距離を見るための遠用度数を備えた遠用部とを有し、前記遠用部が中央に配され、前記近用部がその外縁に環状に配された光学部を備えた眼用レンズの設計方法であって、
前記光学部の中央に配された前記遠用部において、中央から周辺に向かうＸ方向で見た時に前記遠用度数よりも遠用へと度数を強めた後に近用度数に至るまで度数を弱めた形状を有する部分Ａを有し且つＸ方向とは正反対の方向であって中央から周辺に向かうＸ’方向で見た時にも前記遠用度数よりも遠用へと度数を強めた後に近用度数に至るまで度数を弱めた形状を有する部分Ａ’を有し、
前記部分Ａにおける度数の極小値と前記遠用度数との差を０．１２〜０．２５Ｄとし、且つ、前記部分Ａ’における度数の極小値と前記遠用度数との差も０．１２〜０．２５Ｄとするように眼用レンズを設計する、眼用レンズの設計方法。
【請求項１５】
前記部分Ａにおいて度数が極小となる箇所を１か所のみとし、且つ、前記部分Ａ’においても度数が極小となる箇所を１か所のみとする、請求項１４に記載の眼用レンズの設計方法。
【請求項１６】
前記部分Ａにおいて度数が極小となる箇所と、前記部分Ａ’において度数が極小となる箇所との間の平面視距離を１．０〜２．８ｍｍとする、請求項１４または１５に記載の眼用レンズの設計方法。
【請求項１７】
前記眼用レンズはコンタクトレンズである、請求項１０〜１６のいずれかに記載の眼用レンズの設計方法。
【請求項１８】
前記眼用レンズは眼内レンズである、請求項１０〜１６のいずれかに記載の眼用レンズの設計方法。
【請求項１９】
請求項１０〜１８のいずれかに記載の眼用レンズの設計方法によって眼用レンズを設計する設計工程と、
設計された眼用レンズを加工装置により製造する加工工程と、
を有する、眼用レンズの製造方法。
【請求項２０】
近方距離を見るための近用度数を備えた近用部と、近方距離よりも遠くの距離を見るための遠用度数を備えた遠用部とを有し、前記近用部が中央に配され、前記遠用部がその外縁に環状に配された光学部を備えた眼用レンズを複数備える眼用レンズセットであって、
前記光学部の中央に配された前記近用部において、中央から周辺に向かうＸ方向で見た時に前記近用度数よりも近用へと度数を強めた後に遠用度数に至るまで度数を弱めた形状を有する部分Ａを有し且つＸ方向とは正反対の方向であって中央から周辺に向かうＸ’方向で見た時にも前記近用度数よりも近用へと度数を強めた後に遠用度数に至るまで度数を弱めた形状を有する部分Ａ’を有する眼用レンズを複数備える、眼用レンズセット。
【請求項２１】
近方距離を見るための近用度数を備えた近用部と、近方距離よりも遠くの距離を見るための遠用度数を備えた遠用部とを有し、前記遠用部が中央に配され、前記近用部がその外縁に環状に配された光学部を備えた眼用レンズを複数備える眼用レンズセットであって、
前記光学部の中央に配された前記遠用部において、中央から周辺に向かうＸ方向で見た時に前記遠用度数よりも遠用へと度数を強めた後に近用度数に至るまで度数を弱めた形状を有する部分Ａを有し且つＸ方向とは正反対の方向であって中央から周辺に向かうＸ’方向で見た時にも前記遠用度数よりも遠用へと度数を強めた後に近用度数に至るまで度数を弱めた形状を有する部分Ａ’を有し、
前記部分Ａにおける度数の極小値と前記遠用度数との差は０．１２〜０．２５Ｄであり、且つ、前記部分Ａ’における度数の極小値と前記遠用度数との差も０．１２〜０．２５Ｄである眼用レンズを複数備える、眼用レンズセット。